【手続補正書】
【提出日】平成30年7月2日(2018.7.2)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
ワイヤレスデバイスによって、無線周波数スペクトル帯域を介して、複数の基準信号（ＲＳ）を備える第１の直交周波数分割多重（ＯＦＤＭ）シンボルを受信することを備え、前記第１のＯＦＤＭシンボルの第１の部分が、前記第１のＯＦＤＭシンボルの残存部分よりも高い密度の前記ＲＳを備える、方法。
【請求項２】
前記複数のＲＳは、セル固有基準信号（ＣＲＳ）またはチャネル状態情報基準信号（ＣＳＩ−ＲＳ）のうちの少なくとも１つを含む、請求項１に記載の方法。
【請求項３】
前記無線周波数スペクトル帯域を介して、第１の同期信号を備える第２のＯＦＤＭシンボルを受信すること
をさらに備える、請求項１に記載の方法。
【請求項４】
前記ＯＦＤＭシンボルが基地局からの送信を備えるかどうかを決定するために、前記第１のＯＦＤＭシンボルに対してブラインド検出を実行すること
をさらに備える、請求項１に記載の方法。
【請求項５】
ワイヤレス通信のための装置であって、
無線周波数スペクトル帯域を介して、複数の基準信号（ＲＳ）を備える第１の直交周波数分割多重（ＯＦＤＭ）シンボルを受信するための手段を備え、前記第１のＯＦＤＭシンボルの第１の部分が、前記第１のＯＦＤＭシンボルの残存部分よりも高い密度の前記ＲＳを備える、装置。
【請求項６】
前記複数のＲＳは、セル固有基準信号（ＣＲＳ）またはチャネル状態情報基準信号（ＣＳＩ−ＲＳ）のうちの少なくとも１つを含む、請求項５に記載の装置。
【請求項７】
前記無線周波数スペクトル帯域を介して、第１の同期信号を備える第２のＯＦＤＭシンボルを受信するための手段
をさらに備える、請求項５に記載の装置。
【請求項８】
前記ＯＦＤＭシンボルが基地局からの送信を備えるかどうかを決定するために、前記第１のＯＦＤＭシンボルに対してブラインド検出を実行すること
をさらに備える、請求項５に記載の装置。
【請求項９】
ワイヤレス通信のための方法であって、
ワイヤレスデバイスによって、無線周波数スペクトル帯域を介して、複数の基準信号（ＲＳ）を備える第１の直交周波数分割多重（ＯＦＤＭ）シンボルを送信することを備え、前記第１のＯＦＤＭシンボルの第１の部分が、前記第１のＯＦＤＭシンボルの残存部分よりも高い密度の前記ＲＳを備える、方法。
【請求項１０】
前記複数のＲＳは、セル固有基準信号（ＣＲＳ）またはチャネル状態情報基準信号（ＣＳＩ−ＲＳ）のうちの少なくとも１つを含む、請求項９に記載の方法。
【請求項１１】
前記無線周波数スペクトル帯域を介して、第１の同期信号を備える第２のＯＦＤＭシンボルを送信すること
をさらに備える、請求項９に記載の方法。
【請求項１２】
ワイヤレス通信のための装置であって、
無線周波数スペクトル帯域を介して、複数の基準信号（ＲＳ）を備える第１の直交周波数分割多重（ＯＦＤＭ）シンボルを送信するための手段を備え、前記第１のＯＦＤＭシンボルの第１の部分が、前記第１のＯＦＤＭシンボルの残存部分よりも高い密度の前記ＲＳを備える、装置。
【請求項１３】
前記複数のＲＳは、セル固有基準信号（ＣＲＳ）またはチャネル状態情報基準信号（ＣＳＩ−ＲＳ）のうちの少なくとも１つを含む、請求項１２に記載の装置。
【請求項１４】
前記免許不要無線周波数スペクトル帯域を介して、第１の同期信号を備える第２のＯＦＤＭシンボルを送信するための手段
をさらに備える、請求項１２に記載の装置。
【請求項１５】
少なくとも１つのコンピュータに、請求項１〜４または９〜１１のいずれか一項にしたがうステップを実施させるための命令を備えるコンピュータプログラム。
【手続補正２】
【補正対象書類名】明細書
【補正対象項目名】０２２１
【補正方法】変更
【補正の内容】
【０２２１】
[0240]本開示についての以上の説明は、当業者が本開示を作成または使用することができるように提供されたものである。本開示への様々な修正は当業者には容易に明らかとなり、本明細書で定義される一般原理は、本開示の範囲から逸脱することなく他の変形形態に適用され得る。したがって、本開示は、本明細書で説明した例および設計に限定されるべきでなく、本明細書で開示した原理および新規の特徴に一致する最も広い範囲を与えられるべきである。
以下に、本願の出願当初の特許請求の範囲に記載された発明を付記する。
［Ｃ１］
ワイヤレス通信のための方法であって、
無線周波数スペクトル帯域を介して、複数の基準信号（ＲＳ）を備える第１の直交周波数分割多重（ＯＦＤＭ）シンボルを受信することを備え、前記第１のＯＦＤＭシンボルの第１の部分が、前記第１のＯＦＤＭシンボルの残存部分よりも高い密度の前記ＲＳを備える、方法。
［Ｃ２］
前記複数のＲＳは、セル固有基準信号（ＣＲＳ）またはチャネル状態情報基準信号（ＣＳＩ−ＲＳ）のうちの少なくとも１つを含む、Ｃ１に記載の方法。
［Ｃ３］
前記無線周波数スペクトル帯域を介して、第１の同期信号を備える第２のＯＦＤＭシンボルを受信すること
をさらに備える、Ｃ１に記載の方法。
［Ｃ４］
前記第２のＯＦＤＭシンボルは、前記第１のＯＦＤＭシンボルに時間的に隣接する、Ｃ２に記載の方法。
［Ｃ５］
前記無線周波数スペクトル帯域を介して、第２の同期信号を備える第３のＯＦＤＭシンボルを受信すること
をさらに備える、Ｃ２に記載の方法。
［Ｃ６］
前記第３のＯＦＤＭシンボルは、前記第２のＯＦＤＭシンボルに時間的に隣接する、Ｃ５に記載の方法。
［Ｃ７］
前記無線周波数スペクトル帯域を介して、複数のＲＳを備える第４のＯＦＤＭシンボルを受信することをさらに備え、前記第４のＯＦＤＭシンボルの第１の部分が、前記第４のＯＦＤＭシンボルの残存部分よりも高い密度のＲＳを備える、Ｃ５に記載の方法。
［Ｃ８］
前記第４のＯＦＤＭシンボルは、前記第３のＯＦＤＭシンボルに時間的に隣接する、Ｃ７に記載の方法。
［Ｃ９］
前記無線周波数スペクトル帯域は免許不要無線周波数スペクトル帯域を備える、Ｃ７に記載の方法。
［Ｃ１０］
前記第２のＯＦＤＭシンボルおよび前記第３のＯＦＤＭシンボルの各々は、チャネル状態情報基準信号（ＣＳＩ−ＲＳ）、サービス情報ブロック（ＳＩＢ）、物理ブロードキャストチャネル（ＰＢＣＨ）、およびそれらの組合せから成る群のうちの少なくとも１つをさらに備える、Ｃ５に記載の方法。
［Ｃ１１］
前記第１の同期信号は二次同期信号を備え、前記第２の同期信号は一次同期信号を備える、Ｃ５に記載の方法。
［Ｃ１２］
前記第１の同期信号および前記第２の同期信号は、前記第２のＯＦＤＭシンボルおよび前記第３のＯＦＤＭシンボルのリソースブロックの中央セットを介して受信される、Ｃ５に記載の方法。
［Ｃ１３］
前記第１のＯＦＤＭシンボルの前記第１の部分は、前記無線周波数スペクトル帯域のコンポーネントキャリアのリソースブロックの中央セットを備える、Ｃ１に記載の方法。
［Ｃ１４］
リソースブロックの前記中央セットに対して狭帯域チャネル測定を実行すること
をさらに備える、Ｃ１３に記載の方法。
［Ｃ１５］
前記狭帯域測定は、前記複数のＲＳからの前記ＲＳのすべて、または前記複数のＲＳからのＲＳのサブセットに基づく、Ｃ１４に記載の方法。
［Ｃ１６］
前記ＯＦＤＭシンボルが基地局からの送信を備えるかどうかを決定するために、前記第１のＯＦＤＭシンボルに対してブラインド検出を実行すること
をさらに備える、Ｃ１に記載の方法。
［Ｃ１７］
サブフレームにおけるダウンリンクトラフィックの残存量のブラインド検出を実行すること
をさらに備える、Ｃ２に記載の方法。
［Ｃ１８］
前記ブラインド検出に少なくとも部分的に基づいて、受信機の電源を選択的に切断すること
をさらに備える、Ｃ１７に記載の方法。
［Ｃ１９］
前記ブラインド検出は、前記第２のＯＦＤＭシンボルにおいて受信された第１の複数のチャネル状態情報基準信号（ＣＳＩ−ＲＳ）に少なくとも部分的に基づく、Ｃ１７に記載の方法。
［Ｃ２０］
前記ブラインド検出はさらに、第２の同期信号に関連するＯＦＤＭシンボルにおいて受信された第２の複数のＣＳＩ−ＲＳに少なくとも部分的に基づく、Ｃ１９に記載の方法。
［Ｃ２１］
シンボルエネルギーを測定すること
をさらに備え、
前記ブラインド検出は、前記シンボルエネルギーに少なくとも部分的に基づく、Ｃ１７に記載の方法。
［Ｃ２２］
前記第１のＯＦＤＭシンボルの前記第１の部分は、複数のサブキャリアに関連付けられ、前記第１のＯＦＤＭシンボルの前記複数のサブキャリアの各々を介してＲＳが受信される、Ｃ１に記載の方法。
［Ｃ２３］
ワイヤレス通信のための装置であって、
無線周波数スペクトル帯域を介して、複数の基準信号（ＲＳ）を備える第１の直交周波数分割多重（ＯＦＤＭ）シンボルを受信するための手段を備え、前記第１のＯＦＤＭシンボルの第１の部分が、前記第１のＯＦＤＭシンボルの残存部分よりも高い密度の前記ＲＳを備える、装置。
［Ｃ２４］
前記複数のＲＳは、セル固有基準信号（ＣＲＳ）またはチャネル状態情報基準信号（ＣＳＩ−ＲＳ）のうちの少なくとも１つを含む、Ｃ２３に記載の装置。
［Ｃ２５］
前記無線周波数スペクトル帯域を介して、第１の同期信号を備える第２のＯＦＤＭシンボルを受信するための手段
をさらに備える、Ｃ２３に記載の装置。
［Ｃ２６］
前記第２のＯＦＤＭシンボルは、前記第１のＯＦＤＭシンボルに時間的に隣接する、Ｃ２５に記載の装置。
［Ｃ２７］
前記免許不要無線周波数スペクトル帯域を介して、第２の同期信号を備える第３のＯＦＤＭシンボルを受信するための手段
をさらに備える、Ｃ２５に記載の装置。
［Ｃ２８］
前記第３のＯＦＤＭシンボルは、前記第２のＯＦＤＭシンボルに時間的に隣接する、Ｃ２７に記載の装置。
［Ｃ２９］
前記無線周波数スペクトル帯域を介して、複数のＲＳを備える第４のＯＦＤＭシンボルを受信するための手段をさらに備え、前記第４のＯＦＤＭシンボルの第１の部分が、前記第４のＯＦＤＭシンボルの残存部分よりも高い密度のＲＳを備える、Ｃ２７に記載の装置。
［Ｃ３０］
前記第４のＯＦＤＭシンボルは、前記第３のＯＦＤＭシンボルに時間的に隣接する、Ｃ２９に記載の装置。
［Ｃ３１］
前記無線周波数スペクトル帯域は免許不要無線周波数スペクトル帯域を備える、Ｃ２９に記載の方法。
［Ｃ３２］
前記第２のＯＦＤＭシンボルおよび前記第３のＯＦＤＭシンボルの各々は、チャネル状態情報基準信号（ＣＳＩ−ＲＳ）、サービス情報ブロック（ＳＩＢ）、物理ブロードキャストチャネル（ＰＢＣＨ）、およびそれらの組合せから成るグループのうちの少なくとも１つをさらに備える、Ｃ２７に記載の装置。
［Ｃ３３］
前記第１の同期信号は二次同期信号を備え、前記第２の同期信号は一次同期信号を備える、Ｃ２７に記載の装置。
［Ｃ３４］
前記第１の同期信号および前記第２の同期信号は、前記第２のＯＦＤＭシンボルおよび前記第３のＯＦＤＭシンボルのリソースブロックの中央セットを介して受信される、Ｃ２７に記載の装置。
［Ｃ３５］
前記第１のＯＦＤＭシンボルの前記第１の部分は、前記無線周波数スペクトル帯域のコンポーネントキャリアのリソースブロックの中央セットを備える、Ｃ２３に記載の装置。
［Ｃ３６］
リソースブロックの前記中央セットに対して狭帯域チャネル測定を実行するための手段をさらに備える、Ｃ３５に記載の装置。
［Ｃ３７］
前記狭帯域測定は、前記複数のＲＳからの前記ＲＳのすべて、または前記複数のＲＳからのＲＳのサブセットに基づく、Ｃ３６に記載の装置。
［Ｃ３８］
前記ＯＦＤＭシンボルが基地局からの送信を備えるかどうかを決定するために、前記第１のＯＦＤＭシンボルに対してブラインド検出を実行すること
をさらに備える、Ｃ２３に記載の装置。
［Ｃ３９］
サブフレームにおけるダウンリンクトラフィックの残存量のブラインド検出を実行するための手段
をさらに備える、Ｃ２５に記載の装置。
［Ｃ４０］
前記ブラインド検出に少なくとも部分的に基づいて、受信機の電源を選択的に切断するための手段
をさらに備える、Ｃ３９に記載の装置。
［Ｃ４１］
前記ブラインド検出は、前記第２のＯＦＤＭシンボルにおいて受信された第１の複数のチャネル状態情報基準信号（ＣＳＩ−ＲＳ）に少なくとも部分的に基づく、Ｃ３９に記載の装置。
［Ｃ４２］
前記ブラインド検出はさらに、第２の同期信号に関連するＯＦＤＭシンボルにおいて受信された第２の複数のＣＳＩ−ＲＳに少なくとも部分的に基づく、Ｃ４１に記載の装置。
［Ｃ４３］
シンボルエネルギーを測定するための手段
をさらに備え、
前記ブラインド検出は、前記シンボルエネルギーに少なくとも部分的に基づく、Ｃ３９に記載の装置。
［Ｃ４４］
前記第１のＯＦＤＭシンボルの前記第１の部分は、複数のサブキャリアに関連付けられ、前記第１のＯＦＤＭシンボルの前記複数のサブキャリアの各々を介してＲＳが受信される、Ｃ２３に記載の装置。
［Ｃ４５］
ワイヤレス通信のための装置であって、
プロセッサと、
前記プロセッサに結合されたメモリと
を備え、前記プロセッサは、
無線周波数スペクトル帯域を介して、複数の基準信号（ＲＳ）を備える第１の直交周波数分割多重（ＯＦＤＭ）シンボルを受信するように構成され、前記第１のＯＦＤＭシンボルの第１の部分が、前記第１のＯＦＤＭシンボルの残存部分よりも高い密度の前記ＲＳを備える、装置。
［Ｃ４６］
前記複数のＲＳは、セル固有基準信号（ＣＲＳ）またはチャネル状態情報基準信号（ＣＳＩ−ＲＳ）のうちの少なくとも１つを含む、Ｃ４５に記載の装置。
［Ｃ４７］
前記プロセッサは、
前記無線周波数スペクトル帯域を介して、第１の同期信号を備える第２のＯＦＤＭシンボルを受信する
ように構成される、Ｃ４５に記載の装置。
［Ｃ４８］
前記プロセッサは、
前記無線周波数スペクトル帯域を介して、第２の同期信号を備える第３のＯＦＤＭシンボルを受信する
ように構成される、Ｃ４６に記載の装置。
［Ｃ４９］
前記プロセッサは、
前記無線周波数スペクトル帯域を介して、複数のＲＳを備える第４のＯＦＤＭシンボルを受信するように構成され、前記第４のＯＦＤＭシンボルの第１の部分が、前記第４のＯＦＤＭシンボルの残存部分よりも高い密度のＲＳを備える、Ｃ４８に記載の装置。
［Ｃ５０］
前記第１の同期信号および前記第２の同期信号は、前記第２のＯＦＤＭシンボルおよび前記第３のＯＦＤＭシンボルのリソースブロックの中央セットを介して受信される、Ｃ４８に記載の装置。
［Ｃ５１］
前記第１のＯＦＤＭシンボルの前記第１の部分は、前記無線周波数スペクトル帯域のコンポーネントキャリアのリソースブロックの中央セットを備える、Ｃ４５に記載の装置。
［Ｃ５２］
前記プロセッサは、
前記ＯＦＤＭシンボルが基地局からの送信を備えるかどうかを決定するために、前記第１のＯＦＤＭシンボルに対してブラインド検出を実行する
ように構成される、Ｃ４５に記載の装置。
［Ｃ５３］
前記プロセッサは、
サブフレームにおけるダウンリンクトラフィックの残存量のブラインド検出を実行するように構成される、Ｃ４６に記載の装置。
［Ｃ５４］
前記プロセッサは、
前記ブラインド検出に少なくとも部分的に基づいて、受信機の電源を選択的に切断するように構成される、Ｃ５３に記載の装置。
［Ｃ５５］
プロセッサによって実行可能な命令を記憶するためのコンピュータ可読媒体であって、  無線周波数スペクトル帯域を介して、複数の基準信号（ＲＳ）を備える第１の直交周波数分割多重（ＯＦＤＭ）シンボルを受信するための命令を備え、前記第１のＯＦＤＭシンボルの第１の部分が、前記第１のＯＦＤＭシンボルの残存部分よりも高い密度の前記ＲＳを備える、コンピュータ可読媒体。
［Ｃ５６］
前記複数のＲＳは、セル固有基準信号（ＣＲＳ）またはチャネル状態情報基準信号（ＣＳＩ−ＲＳ）のうちの少なくとも１つを含む、Ｃ５５に記載のコンピュータ可読媒体。
［Ｃ５７］
前記無線周波数スペクトル帯域を介して、第１の同期信号を備える第２のＯＦＤＭシンボルを受信するための命令
をさらに備える、Ｃ５５に記載のコンピュータ可読媒体。
［Ｃ５８］
前記無線周波数スペクトル帯域を介して、第２の同期信号を備える第３のＯＦＤＭシンボルを受信するための命令
をさらに備える、Ｃ５６に記載のコンピュータ可読媒体。
［Ｃ５９］
前記無線周波数スペクトル帯域を介して、複数のＲＳを備える第４のＯＦＤＭシンボルを受信するための命令をさらに備え、前記第４のＯＦＤＭシンボルの第１の部分が、前記第４のＯＦＤＭシンボルの残存部分よりも高い密度のＲＳを備える、Ｃ５８に記載のコンピュータ可読媒体。
［Ｃ６０］
ワイヤレス通信のための方法であって、
無線周波数スペクトル帯域を介して、複数の基準信号（ＲＳ）を備える第１の直交周波数分割多重（ＯＦＤＭ）シンボルを送信することを備え、前記第１のＯＦＤＭシンボルの第１の部分が、前記第１のＯＦＤＭシンボルの残存部分よりも高い密度の前記ＲＳを備える、方法。
［Ｃ６１］
前記複数のＲＳは、セル固有基準信号（ＣＲＳ）またはチャネル状態情報基準信号（ＣＳＩ−ＲＳ）のうちの少なくとも１つを含む、Ｃ６０に記載の方法。
［Ｃ６２］
前記無線周波数スペクトル帯域を介して、第１の同期信号を備える第２のＯＦＤＭシンボルを送信すること
をさらに備える、Ｃ６０に記載の方法。
［Ｃ６３］
前記第２のＯＦＤＭシンボルは、前記第１のＯＦＤＭシンボルに時間的に隣接する、Ｃ６１に記載の方法。
［Ｃ６４］
前記無線周波数スペクトル帯域を介して、第２の同期信号を備える第３のＯＦＤＭシンボルを送信すること
をさらに備える、Ｃ６１に記載の方法。
［Ｃ６５］
前記第３のＯＦＤＭシンボルは、前記第２のＯＦＤＭシンボルに時間的に隣接する、Ｃ６４に記載の方法。
［Ｃ６６］
前記無線周波数スペクトル帯域を介して、複数のＲＳを備える第４のＯＦＤＭシンボルを送信することをさらに備え、前記第４のＯＦＤＭシンボルの第１の部分が、前記第４のＯＦＤＭシンボルの残存部分よりも高い密度のＲＳを備える、Ｃ６４に記載の方法。
［Ｃ６７］
前記第４のＯＦＤＭシンボルは、前記第３のＯＦＤＭシンボルに時間的に隣接する、Ｃ６６に記載の方法。
［Ｃ６８］
前記無線周波数スペクトル帯域は免許不要無線周波数スペクトル帯域を備える、Ｃ６６に記載の装置。
［Ｃ６９］
前記第２のＯＦＤＭシンボルおよび前記第３のＯＦＤＭシンボルの各々は、チャネル状態情報基準信号（ＣＳＩ−ＲＳ）、サービス情報ブロック（ＳＩＢ）、物理ブロードキャストチャネル（ＰＢＣＨ）、およびそれらの組合せから成るグループのうちの少なくとも１つをさらに備える、Ｃ６４に記載の方法。
［Ｃ７０］
前記第１の同期信号は二次同期信号を備え、前記第２の同期信号は一次同期信号を備える、Ｃ６４に記載の方法。
［Ｃ７１］
前記第１の同期信号および前記第２の同期信号は、前記第２のＯＦＤＭシンボルおよび前記第３のＯＦＤＭシンボルのリソースブロックの中央セットを介して送信される、Ｃ６４に記載の方法。
［Ｃ７２］
前記第１のＯＦＤＭシンボルの前記第１の部分は、前記無線周波数スペクトル帯域のコンポーネントキャリアのリソースブロックの中央セットを備える、Ｃ６０に記載の方法。
［Ｃ７３］
前記第１のＯＦＤＭシンボルの前記第１の部分は、複数のサブキャリアに関連付けられ、前記第１のＯＦＤＭシンボルの前記複数のサブキャリアの各々を介してＲＳが送信される、Ｃ６０に記載の方法。
［Ｃ７４］
ワイヤレス通信のための装置であって、
無線周波数スペクトル帯域を介して、複数の基準信号（ＲＳ）を備える第１の直交周波数分割多重（ＯＦＤＭ）シンボルを送信するための手段を備え、前記第１のＯＦＤＭシンボルの第１の部分が、前記第１のＯＦＤＭシンボルの残存部分よりも高い密度の前記ＲＳを備える、装置。
［Ｃ７５］
前記複数のＲＳは、セル固有基準信号（ＣＲＳ）またはチャネル状態情報基準信号（ＣＳＩ−ＲＳ）のうちの少なくとも１つを含む、Ｃ７４に記載の装置。
［Ｃ７６］
前記免許不要無線周波数スペクトル帯域を介して、第１の同期信号を備える第２のＯＦＤＭシンボルを送信するための手段
をさらに備える、Ｃ７４に記載の装置。
［Ｃ７７］
前記第２のＯＦＤＭシンボルは、前記第１のＯＦＤＭシンボルに時間的に隣接する、Ｃ７７に記載の装置。
［Ｃ７８］
前記無線周波数スペクトル帯域を介して、第２の同期信号を備える第３のＯＦＤＭシンボルを送信するための手段
をさらに備える、Ｃ７４に記載の装置。
［Ｃ７９］
前記第３のＯＦＤＭシンボルは、前記第２のＯＦＤＭシンボルに時間的に隣接する、Ｃ７８に記載の装置。
［Ｃ８０］
前記無線周波数スペクトル帯域を介して、複数のＲＳを備える第４のＯＦＤＭシンボルを送信するための手段をさらに備え、前記第４のＯＦＤＭシンボルの第１の部分が、前記第４のＯＦＤＭシンボルの残存部分よりも高い密度のＲＳを備える、Ｃ７８に記載の装置。
［Ｃ８１］
前記第４のＯＦＤＭシンボルは、前記第３のＯＦＤＭシンボルに時間的に隣接する、Ｃ８０に記載の装置。
［Ｃ８２］
前記無線周波数スペクトル帯域は免許不要無線周波数スペクトル帯域を備える、Ｃ８０に記載の装置。
［Ｃ８３］
前記第２のＯＦＤＭシンボルおよび前記第３のＯＦＤＭシンボルの各々は、チャネル状態情報基準信号（ＣＳＩ−ＲＳ）、サービス情報ブロック（ＳＩＢ）、物理ブロードキャストチャネル（ＰＢＣＨ）、およびそれらの組合せから成るグループのうちの少なくとも１つをさらに備える、Ｃ７８に記載の装置。
［Ｃ８４］
前記第１の同期信号は二次同期信号を備え、前記第２の同期信号は一次同期信号を備える、Ｃ７８に記載の装置。
［Ｃ８５］
前記第１の同期信号および前記第２の同期信号は、前記第２のＯＦＤＭシンボルおよび前記第３のＯＦＤＭシンボルのリソースブロックの中央セットを介して送信される、Ｃ７８に記載の装置。
［Ｃ８６］
前記第１のＯＦＤＭシンボルの前記第１の部分は、前記無線周波数スペクトル帯域のコンポーネントキャリアのリソースブロックの中央セットを備える、Ｃ７４に記載の装置。
［Ｃ８７］
前記第１のＯＦＤＭシンボルの前記第１の部分は、複数のサブキャリアに関連付けられ、前記第１のＯＦＤＭシンボルの前記複数のサブキャリアの各々を介してＲＳが送信される、Ｃ７４に記載の装置。
［Ｃ８８］
ワイヤレス通信のための装置であって、
プロセッサと、
前記プロセッサに結合されたメモリと
を備え、前記プロセッサは、
無線周波数スペクトル帯域を介して、複数の基準信号（ＲＳ）を備える第１の直交周波数分割多重（ＯＦＤＭ）シンボルを送信するように構成され、前記第１のＯＦＤＭシンボルの第１の部分が、前記第１のＯＦＤＭシンボルの残存部分よりも高い密度の前記ＲＳを備える、装置。
［Ｃ８９］
前記複数のＲＳは、セル固有基準信号（ＣＲＳ）またはチャネル状態情報基準信号（ＣＳＩ−ＲＳ）のうちの少なくとも１つを含む、Ｃ８８に記載の装置。
［Ｃ９０］
前記無線周波数スペクトル帯域を介して、第１の同期信号を備える第２のＯＦＤＭシンボルを送信する
をさらに備える、Ｃ８８に記載の装置。
［Ｃ９１］
前記プロセッサは、
前記無線周波数スペクトル帯域を介して、第２の同期信号を備える第３のＯＦＤＭシンボルを送信する
ように構成される、Ｃ９０に記載の装置。
［Ｃ９２］
前記プロセッサは、
前記無線周波数スペクトル帯域を介して、複数のＲＳを備える第４のＯＦＤＭシンボルを送信するように構成され、前記第４のＯＦＤＭシンボルの第１の部分が、前記第４のＯＦＤＭシンボルの残存部分よりも高い密度のＲＳを備える、Ｃ９１に記載の装置。
［Ｃ９３］
前記第１の同期信号および前記第２の同期信号は、前記第２のＯＦＤＭシンボルおよび前記第３のＯＦＤＭシンボルのリソースブロックの中央セットを介して送信される、Ｃ９１に記載の装置。
［Ｃ９４］
前記第１のＯＦＤＭシンボルの前記第１の部分は、前記免許不要無線周波数スペクトル帯域のコンポーネントキャリアのリソースブロックの中央セットを備える、Ｃ８８に記載の装置。
［Ｃ９５］
プロセッサによって実行可能な命令を記憶するためのコンピュータ可読媒体であって、  無線周波数スペクトル帯域を介して、複数の基準信号（ＲＳ）を備える第１の直交周波数分割多重（ＯＦＤＭ）シンボルを送信するための命令を備え、前記第１のＯＦＤＭシンボルの第１の部分が、前記第１のＯＦＤＭシンボルの残存部分よりも高い密度の前記ＲＳを備える、コンピュータ可読媒体。
［Ｃ９６］
前記複数のＲＳは、セル固有基準信号（ＣＲＳ）またはチャネル状態情報基準信号（ＣＳＩ−ＲＳ）のうちの少なくとも１つを含む、Ｃ９５に記載の方法。
［Ｃ９７］
前記無線周波数スペクトル帯域を介して、第１の同期信号を備える第２のＯＦＤＭシンボルを送信するための命令
をさらに備える、Ｃ９５に記載の方法。
［Ｃ９８］
前記無線周波数スペクトル帯域を介して、第２の同期信号を備える第３のＯＦＤＭシンボルを送信するための命令
をさらに備える、Ｃ９７に記載のコンピュータ可読媒体。
［Ｃ９９］
前記無線周波数スペクトル帯域を介して、複数のＲＳを備える第４のＯＦＤＭシンボルを送信するための命令をさらに備え、前記第４のＯＦＤＭシンボルの第１の部分が、前記第４のＯＦＤＭシンボルの残存部分よりも高い密度のＲＳを備える、Ｃ９８に記載のコンピュータ可読媒体。